(57)【特許請求の範囲】
【請求項１】
太陽光を取り込む採光部を備え、前記採光部から取り入れた前記太陽光を室内に導き、室内で放光する光伝送装置であって、  金属を主材料とする板を曲げて前記板の対向する端部同士を止めることにより筒状に形成された筒状部材と、  端面同士を突きあわせて連結された２つの前記筒状部材の、前記連結部を巻回して前記２つの筒状部材を固定する帯状部材とを有し、  前記筒状部材の内壁は光反射面となっており、前記板の端部同士を止めた部分は凸部となっており、  前記帯状部材は前記凸部を含む前記筒状部材の外周に沿って形成され、前記帯状部材の片側の端部と他側の端部が前記凸部の上方で重ねあわせて止められていることを特徴とする光伝送装置。
【請求項２】
前記帯状部材は、金属を主材料とし、前記筒状部材側の面が光反射面となっていることを特徴とする請求項１に記載の光伝送装置。
【請求項３】
前記帯状部材の前記片側の端部と前記他側の端部は、前記光伝送装置を取り付けるための取り付け部であることを特徴とする請求項１記載の光伝送装置。
【請求項４】
前記板の端部同士を止めた部分は、はぜ折り加工が施されていることを特徴とする請求項１乃至３のいずれか１項に記載の光伝送装置。
【請求項５】
太陽光を取り込む採光部を備え、前記採光部から取り入れた前記太陽光を室内に導き、室内で放光する光伝送装置であって、 鋼板の表面上方に銀層と前記銀層を被覆した樹脂層とを有する板を曲げて前記板の対向する端部同士を止めることにより筒状に形成された筒状部材と、  各前記筒状部材の端部に設けられたフランジ部とを有し、  前記筒状部材の内壁は光反射面となっており、前記フランジ部同士が突き合わされ固定されることにより前記筒状部材同士が連結されており、前記筒状部材のフランジ部は、前記光伝送装置を取り付けるための取り付け部であり、  前記板の端部同士を止めた部分は、はぜ折り加工が施されていることを特徴とする光伝送装置。
【請求項６】
前記板の鋼板は亜鉛めっき鋼板であり、前記亜鉛めっき鋼板と前記銀層の間に下地樹脂層を有することを特徴とする請求項５に記載の光伝送装置。
【請求項７】
前記光伝送装置は光を導く方向を変える方向変更部を有し、前記方向変更部は円弧状の曲面となっていることを特徴とする請求項１乃至６のいずれか１項に記載の光伝送装置。
【請求項８】
前記採光部は、水平面に対する傾斜角度が異なる複数の採光面を有することを特徴とする請求項１乃至７のいずれか１項に記載の光伝送装置。
【請求項９】
前記採光部は、傾斜方向が異なる複数の採光面を有することを特徴とする請求項１乃至７のいずれか１項に記載の光伝送装置。
【発明の詳細な説明】
【技術分野】
【０００１】
本発明は、外部からの太陽光を建築物の室内に光を導き、室内を照明する光伝送装置に関する。
【背景技術】
【０００２】
近年、省エネルギーや二酸化炭素の排出削減による環境保護の必要性が注目されており、この要望に応えるための手段の一つとして内面を反射率の高い部材で構成したダクトを介して太陽光を室内に取り込み、照明光源として利用する光伝送装置が提案されている（下記特許文献を参照）。【０００３】
このような装置はエネルギーを電気等の他のエネルギーに変換せずにそのまま活用するため、エネルギー利用効率が高く、省エネルギーや二酸化炭素の排出削減に貢献することができる。【０００４】
例えば、特許文献１の光伝送装置は、特許文献１の図５に示すように、太陽光（自然光）１を採り入れる採光口２と、太陽光（自然光）１を室内に導く光ダクト４とで構成される。光ダクト４は、図４（ｂ）に示すように、断面が矩形状で、内面が反射面となっている筒状部材で構成される。採光口２から採り入れた太陽光（自然光）１は、光ダクト４内を反射しながら導かれ、光取出し口８から室６内に放光される。光伝送装置は、採り入れた光を効率良く室内に導く必要があるため、筒状部材の内面は正反射率の高い材料で構成されている。【０００５】
また、筒状部材に加工する場合、折曲げ加工する必要があるが、加工部が破断しやすい材料は適用することができない。このような場合、加工性に優れた材料で筒状物を形成し、その筒状物の各面に、高反射板の平板を貼り付けて光伝送装置を形成する。このように平板を貼り付ける場合、材料費が多く必要であり、かつ加工工程数が増え、製造費用が高くなる。
【特許文献１】特開２０００−１４９６２８号公報
【特許文献２】特開２００１−１５５５１８号公報
【特許文献３】特開２００５−２６８１５６号公報
【特許文献４】実用登録３１２２５０６号
【発明の開示】
【発明が解決しようとする課題】
【０００６】
しかし、筒状部材の内面の正反射率が高くても、加工方法によって光の伝送効率が大きく変化する。【０００７】
また、光伝送装置を一体物の筒状部材で構成することは困難であり、複数の筒状部材を連結することによって構成する場合が多い。このような場合、筒状部材の連結方法によっても光の伝送効率が大きく変化する。さらに、筒状物に加工が可能である材料を使う必要がある。【０００８】 本発明は、かかる従来の問題点に鑑みて創作されたもので、太陽光を効率よく導く光伝送装置を提供することを目的とする。
【課題を解決するための手段】
【０００９】 本発明の一観点によれば、太陽光を取り込む採光部を備え、前記採光部から取り入れた前記太陽光を室内に導き、室内で放光する光伝送装置であって、金属を主材料とする板を曲げて前記板の対向する端部同士を止めることにより筒状に形成された筒状部材と、端面同士を突きあわせて連結された２つの前記筒状部材の、前記連結部を巻回して前記２つの筒状部材を固定する帯状部材とを有し、前記筒状部材の内壁は光反射面となっており、前記板の端部同士を止めた部分は凸部となっており、前記帯状部材は前記凸部を含む前記筒状部材の外周に沿って形成され、前記帯状部材の片側の端部と他側の端部が前記凸部の上方で重ねあわせて止められていることを特徴とする光伝送装置が提供される。【００１０】
本発明の光伝送装置によれば、帯状部材を連結部に巻くだけで２つの筒状部材を固定しているため、光伝送装置内には光を伝送方向とは反対側に反射する障害物が一切無い。このため、光伝送装置内を進んできた太陽光は、この連結部で元に戻ることなく、反射を繰り返して先に進むことができる。従って、光の伝送効率を高めることができる。また、帯状部材を連結部に巻回するだけで２つの筒状部材を固定することができるため、連結作業が簡単である。【００１１】 また、帯状部材は、金属を主材料とし、筒状部材側の面が光反射面となっていることが好ましい。これにより、２つの筒状部材の連結部に多少隙間ができても、光漏れを防止することができ、したがって、光の伝送効率の向上に寄与する。【００１２】  本発明の他の一観点によれば、太陽光を取り込む採光部を備え、前記採光部から取り入れた前記太陽光を室内に導き、室内で放光する光伝送装置であって、  鋼板の表面上方に銀層と前記銀層を被覆した樹脂層とを有する板を曲げて前記板の対向する端部同士を止めることにより筒状に形成された筒状部材と、各前記筒状部材の端部に設けられたフランジ部とを有し、前記筒状部材の内壁は光反射面となっており、前記フランジ部同士が突き合わされ固定されることにより前記筒状部材同士が連結されており、前記筒状部材のフランジ部は、前記光伝送装置を取り付けるための取り付け部であり、前記板の端部同士を止めた部分は、はぜ折り加工が施されていることを特徴とする光伝送装置が提供される。【００１３】
本発明の他の光伝送装置によれば、筒状部材に設けられたフランジ部により筒状部材同士を連結しているため、光伝送装置内には光を伝送方向とは反対側に反射する障害物が一切無い。このため、光伝送装置内を進んできた太陽光は、この連結部で元に戻ることなく、反射を繰り返して先に進むことができる。従って、光の伝送効率を高めることができる。
【発明の効果】
【００１４】
本発明の光伝送装置によれば、複数の筒状部材を連結しているが、光伝送装置内には光を伝送方向とは反対側に反射する障害物が一切無いので、光の伝送効率を高めることができる。
【図面の簡単な説明】
【００１５】
【図１】本発明の第１の実施の形態に係る光伝送装置を示す側面図である。
【図２】（ａ）、（ｂ）、（ｃ）は、本発明の第１の実施の形態に係る光伝送装置に用いうる種々の断面形状を有する筒状部材を示す断面図である。
【図３】本発明の第１の実施形態の筒状部材の連結方法及び連結部の構造を示す図であり、（ａ）は斜視図、（ｂ）は筒状部材の連結後に（ａ）のＩ方向から見た側面図である。
【図４】図３（ｂ）のII-II線に沿う断面図であって、筒状部材の固定部付近を示すものである。
【図５】（ａ）、（ｂ）は、本発明の第２の実施形態の筒状部材の連結方法及び連結部の構造を示す図であり、（ａ）は斜視図、（ｂ）は筒状部材の連結後の側面図である。
【図６】（ａ）、（ｂ）は、本発明の実施例に係る光伝送装置の光伝送特性に関し、比較例の光伝送装置の性能と比較して調査した方法について示す図であり、（ａ）は側面図、（ｂ）は光伝送装置を伝送してきた試験光の出射面における照度の測定箇所を示す上面図である。
【図７】（ａ）、（ｂ）は、本発明の第３の実施の形態に係る光伝送装置に関する第１例の採光部を示す図であり、（ａ）は斜視図、（ｂ）は（ａ）のIII-III線に沿う断面図である。
【図８】（ａ）、（ｂ）は、本発明の第３の実施の形態に係る光伝送装置に関する第２例の採光部を示す図であり、（ａ）は斜視図、（ｂ）は（ａ）のIV-IV線に沿う断面図である。
【符号の説明】
【００１６】
１、２１、２３  採光部
２、４、５、１２、１３、１４、１５、１６、１８、２２、２４ 筒状部材
３  方向変更部
６  放光部
７  帯状部材
８  穴
９、１７ａ  ボルト
１０  固定部
１１  梁
１２ａ、１３ａ、１４ａ、１５ａ、１６ａ  筒状部材の本体
１２ｂ、１３ｂ、１４ｂ、１５ｂ、１６ｂ  筒状部材の固定部
１５ｃ、１６ｃ  フランジ部
１７ｂ  ナット
１９  照度計
２０  人工太陽照射灯
２１ａ、２１ｂ、２３ａ、２３ｂ、２３ｃ  採光面
１０１  光伝送装置    
以下に、図面を参照しながら本発明の実施の形態について説明する。
【００１７】
（第１の実施形態）
（光伝送装置の全体の構成）
図１は、本発明の第１の実施形態に係る光伝送装置１０１を示す側面図である。
【００１８】
光伝送装置１０１は、図１に示すように、太陽光（自然光）を採り入れる採光部１と、複数の筒状部材２、４、５と、筒状部材２及び４を連結させて光を導く方向を変える円弧状の曲面を有する方向変更部３と、室内に光を放光する放光部６と、筒状部材４及び５の連結部の周囲を巻回することで筒状部材４及び５を固定する帯状部材７とで構成される。
【００１９】
光伝送装置１０１は、屋内の梁１１にボルト・ナットなどで取り付けられた固定部１０に固定される。固定部１０への光伝送装置１０１の固定は、光伝送装置１０１の帯状部材７を利用して行われる。即ち、帯状部材７に設けられた穴８と固定部１０に設けられた穴にボルト９を通し、図示しないナットで締め付けて、光伝送装置１０１が固定される。なお、家屋には、実際には屋根や天井があるが、図１では省略している。
【００２０】
（採光部の構成）
本実施形態では、光伝送装置１０１の採光部１の採光面は、図１に示すように、水平面に対して南側に傾くように、即ち南側が北側より低くなるように形成されている。採光面の傾きは、太陽が南中するときの高度に応じて、採り込める光の量が最も多くなるように、適宜設定すればよい。
【００２１】
採光面は筒状部材の断面形状に応じて種々の形状を有する。四角い形状の採光面の配置の仕方として、採光面の一辺を南向きにし、その一辺を最も低く配置する仕方や、採光面の頂点を南向きにし、その頂点を最も低く配置する仕方などが可能である。採光面は、光伝送装置の端部（採光部）を、例えば、傾いた平面に沿ってカットして形成される。
【００２２】
上記採光部１によれば、採光面を太陽の方向（南側）に傾け、南側が低くなるようにすることにより、水平にする場合に比べ、効率的に太陽光を採り込むことができる。
【００２３】
なお、上記採光部１に通常、雨、ゴミなどが光伝送装置１０１内部に入らないように、採光面にガラス、透明な有機樹脂板などの密閉部材を取り付けることが望ましい。
【００２４】
（筒状部材の構造及び作製方法）
図２（ａ）乃至（ｃ）は、本発明の第１の実施形態の筒状部材の構造及び作製方法を示す断面図である。
【００２５】
筒状部材１２乃至１４は、本体１２ａ、１３ａ、１４ａと、外側に凸状の固定部（板の縁部同士を止めた部分）１２ｂ、１３ｂ、１４ｂで構成される。本体１２ａ、１３ａ、１４ａの内壁は正反射率の高い反射面となっている。
【００２６】
本体１２ａ、１３ａ、１４ａの断面形状は、円形のもの（図２（ａ））、正方形１３ａのもの（図２（ｂ））、又は長方形１４ａのもの（図２（ｃ））や、図示しないが、その他の多角形や楕円形のものが可能である。固定部（板の縁部同士を止めた部分）１２ｂ、１３ｂ、１４ｂは、これらの形状を保つために、所謂はぜ折り加工が施されている箇所である。現在市販されている正反射率の高い材料では、はぜ折り加工部が部分的に破断し、このはぜ折り加工を行うことができない。このため、はぜ折り加工部を有する筒状部材に加工できない問題がある。
【００２７】
筒状部材１２乃至１４は次のようにして作製される。
【００２８】
金属を主材料とする正方形や長方形の板の対向する両縁辺部のうち、片側の縁辺部を下側に折り曲げて第１の鉤状部を形成し、他方の縁辺部を上側に折り曲げて第２の鉤状部を形成する。続いて、板を断面が所定の形状になるように巻いて或いは折り曲げて、板の対向する両縁辺部を合わせ、第１の鉤状部の折り曲げた部分を第２の鉤状部の中に挿入する。次に、鉤状部を押圧して潰し、固定する。所謂、はぜ折り加工を施す。
【００２９】
筒状部材１２乃至１４の具体例は、下記実施例で述べる。
【００３０】
（筒状部材の連結方法及び連結部の構造）
図３、図４は、本発明の第１の実施形態の筒状部材の連結方法及び連結部の構造を示す図であり、図３（ａ）は斜視図、図３（ｂ）は筒状部材の連結後に図３（ａ）のＩ方向から見た側面図、図４は図３（ｂ）のII-II線に沿う断面図である。何れも、筒状部材の断面形状が円形の場合を示す。
【００３１】
筒状部材の連結方法においては、図３（ａ）に示すように、まず、２つの筒状部材４及び５の固定部４ｂ、５ｂを突き合わせて２つの筒状部材４及び５の端面同士が接するように連結する。
【００３２】
次いで、幅が５ｃｍ程度、長さが筒状部材の外側円周よりもある程度長い帯状部材７を用意する。帯状部材７の材料は、筒状部材の材料と同じ材料で、金属を主材料とする帯状の板を用いることができる。片面が正反射率の高い光反射面であることが望ましい。
【００３３】
次に、帯状部材７の光反射面が２つの筒状部材４及び５の連結部に面するように、２つの筒状部材４及び５の連結部の周囲を帯状部材７で巻回する。図３（ａ）に示す帯状部材７は、実際に連結部の周囲を巻回したときの形状を抜き出して示している。即ち、帯状部材７は凸状の固定部（凸部）４ｂ、５ｂを含む筒状部材４及び５の外周に沿って巻かれ、帯状部材７の片側の端部と他側の端部が固定部４ｂ、５ｂの上方で重ねあわせて止められる。固定部４ｂ、５ｂ周辺での帯状部材７の構造を、図４を参照して、さらに詳しく述べると、帯状部材７は片側の端部が固定部４ｂ、５ｂの側部の下側で折り曲げられ、他側の端部が固定部４ｂ、５ｂの上部で折り曲げられて、片側の端部と他側の端部が固定部４ｂ、５ｂの上方で重ねられ、固定される。片側の端部と他側の端部の固定は、図１及び図４に示すように光伝送装置１０１を室内の固定部１０に取り付けるときに同時に行われる。固定する手段は公知のものでよく、例えば、この実施形態のように、帯状部材７の片側の端部と他側の端部の穴８を介して行うボルト・ナットによる固定方法を適用できる。或いは、ビスや点溶接による固定方法を適用してもよい。なお、光伝送装置１０１が室内に固定されて帯状部材７に支持されたときに、帯状部材７は折り曲げたところが伸びないで、図４のような形状に保たれる。
【００３４】
このようにして、凸状の固定部４ｂ、５ｂを包み込んで帯状部材７が固定されることにより、筒状部材４、５の回転その他の動きが防止されて、筒状部材４、５をしっかりと固定することができる。
【００３５】
以上、第１の実施形態によれば、帯状部材７を連結部に巻くだけで２つの筒状部材４及び５を固定しているため、光ダクト内には光を伝送方向とは反対側に反射する障害物が一切無い。このため、図１で連結部の左側からきた太陽光は、この連結部で元（左側）に戻ることなく、反射を繰り返して右側に進むことができる。従って、光の伝送効率を高めることができる。
【００３６】
また、帯状部材７を連結部に巻回するだけで２つの筒状部材４及び５を固定することができるため、連結作業が簡単である。
【００３７】
さらに、帯状部材７の光反射面が２つの筒状部材４及び５の連結部に面するように帯状部材７が巻回されており、且つ帯状部材７が光伝送装置を支持したときにも帯状部材７の光反射面が連結部を十分に覆うことができるため、２つの筒状部材４及び５の連結部に多少隙間ができても、帯状部材７の光反射面により隙間から漏れた光を反射して筒状部材４及び５内に戻すことができる。これにより、光漏れを防止して、光の伝送効率を向上させることができる。
【００３８】
（第２の実施形態）
（光伝送装置の全体の構成）
第２の実施形態に係る光伝送装置は、２つの筒状部材自体の構造、及び２つの筒状部材の連結部の構造以外は、図１の光伝送装置の全体の構成と同様な全体の構成を有する。
【００３９】
（筒状部材の構造）
図５（ａ）は、本発明の第２の実施形態の筒状部材の構造を示す斜視図である。筒状部材の断面が円形の場合を示している。
【００４０】
筒状部材の本体１５ａ、１６ａと固定部１５ｂ、１６ｂは、第１の実施形態と同じ構造のものを用いるが、第２の実施形態の筒状部材１５、１６では、第１の実施形態と異なり、筒状部材の本体１５ａ、１６ａ及び固定部１５ｂ、１６ｂの端部に、さらにフランジ部１５ｃ、１６ｃが設けられている。フランジ部１５ｃ、１６ｃは本体１５ａ、１６ａ及び固定部１５ｂ、１６ｂに、例えば溶接によって取り付けられる。図５（ａ）中、符号１５ｂ、１６ｂは、所謂はぜ折り加工を施した外側に凸状の固定部（板の縁部同士を止めた部分）である。
【００４１】
なお、筒状部材の本体１５ａ及び１６ａの断面形状は円形以外に矩形又は多角形も適用できる。
【００４２】
また、図５（ａ）では、筒状部材の本体１５ａ、１６ａと固定部１５ｂ、１６ｂの片端にのみフランジ部１５ｃ、１６ｃが設けられているが、さらに、新たな筒状部材を連結する場合、筒状部材の本体１５ａ、１６ａと固定部１５ｂ、１６ｂの両端にフランジ部１５ｃ、１６ｃを設けてもよい。
【００４３】
（筒状部材の連結方法及び連結部の構造）
図５（ａ）、（ｂ）は、本発明の第２の実施形態の筒状部材の連結方法及び連結部の構造を示す図であり、図５（ａ）は斜視図、図５（ｂ）は筒状部材の連結後の側面図である。
【００４４】
図５（ａ）に示すように、断面が円形で、両サイドにフランジ部１５ｃ、１６ｃを有する２つの筒状部材１５、１６を、フランジ部１５ｃ、１６ｃを接続した後、フランジ部１５ｃ、１６ｃに設けられた穴１５ｄ、１６ｄにボルトを通し、ナットで締め付けることによりフランジ部１５ｃ、１６ｃを固定し、２つの筒部材１５、１６を連結する。この場合、２つの筒状部材１５、１６の相互の固定部１５ｂ、１６ｂの位置が揃うように連結することが好ましい。なお、フランジ部１５ｃ、１６ｃを固定する方法は、ボルト・ナットにより固定する方法以外に、公知のものでよく、例えばビスにより固定する方法、または点溶接により固定する方法などを適用できる。
【００４５】
この実施形態の光伝送装置を屋内に固定する場合、フランジ部１５ｃ、１６ｃを利用して行う。即ち、フランジ部１５ｃ、１６ｃの穴１５ｄ、１６ｄに通したボルトをさらに図１に示す屋内の固定部１０の穴に通し、ナットで締め付けることによりフランジ部１５ｃ、１６ｃを固定部１０に固定する。
【００４６】
以上のように、本発明の第２の実施形態の筒状部材によれば、筒状部材１５及び１６の本体１５ａ、１６ａの外部に設けられたフランジ部１５ｃ、１６ｃにより２つの筒状部材１５及び１６を連結しているため、光伝送装置内には光を伝送方向とは反対側に反射する障害物が一切無い。このため、図１で連結部の左側からきた太陽光は、この連結部で元（左側）に戻ることなく、反射を繰り返して右側に進むことができる。従って、光の伝送効率を高めることができる。
【００４７】
（光伝送装置の性能比較）
次に、本発明の実施例の光伝送装置の光伝送性能に関し、比較例の光伝送装置の光伝送性能と比較して調査した結果について説明する。
【００４８】
（光伝送装置の作製条件）
以下に、本発明の実施例に係る光伝送装置及び比較例に係る光伝送装置の作製条件について説明する。それらは、下記表１にまとめて記載されている。
【００４９】
（実施例１）
板厚０．２ｍｍの電気亜鉛めっき鋼板（片面の亜鉛めっき量：１０ｇ／ｍ2、両面めっき）を用いて、その表面にクロメート処理を行い、２５ｍｇ／ｍ2のＣｒを被着し、片面のＣｒ被膜上にアクリル樹脂を厚み１０μｍで被覆し、次いでアクリル樹脂上に銀めっき（銀鏡反応）を厚み１００ｎｍで被覆し、さらに銀めっき上にアクリル樹脂を厚み１μｍで被覆した。これにより、高い正反射率の光反射面を有する金属を主材料とする板（反射率：９５％）を得た。この板を巻いて、内径１５ｃｍφの円形の断面形状を有し、長さ１７ｃｍの筒状部材を形成し、さらに板の対向する端部にはぜ折り加工を施して固定した。このようにして内壁が光反射面となっている筒状部材を３つ作製した。３つの筒状部材は端部を接するようにして連結し、さらに連結部の外周を幅５ｃｍの上記高い正反射率の光反射面を有する金属を主材料とする板と同じ材料の帯状部材で、図４に示す方法で巻回し、固定部（はぜ折り部）の上部でボルト・ナットにより固定した。
【００５０】
このようにして、３つの筒状部材が連結された、内径１５ｃｍφ、長さ５１ｃｍの光伝送装置を作製した。
【００５１】
（実施例２）
実施例１と同じ材料及び構造の筒状部材を３つ作製した。１つの筒状部材には両端部に、２つの筒状部材には片端部に幅５ｃｍのフランジ部を設けた。３つの筒状部材はフランジ部が接するようにして連結し、フランジ部を４箇所ボルト・ナットにより固定した。
【００５２】
このようにして、３つの筒状部材が連結された、内径１５ｃｍφ、長さ５１ｃｍの光伝送装置を作製した。
【００５３】
（実施例３）
板厚０．２ｍｍの電気亜鉛めっき鋼板（片面の亜鉛めっき量：１０ｇ／ｍ2、両面めっき）を用いて、その表面にクロメート処理を行い、２５ｍｇ／ｍ2のＣｒを被着し、片面のＣｒ被膜上にアクリル樹脂を厚み１０μｍで被覆し、次いでアクリル樹脂上に銀めっき（銀鏡反応）を厚み１００ｎｍで被覆し、さらに銀めっき上にアクリル樹脂を１μｍで被覆した。これにより、高い正反射率の光反射面を有する金属を主材料とする板（反射率：９５％）を得た。この板を、一辺が１３．３ｍｍの正方形の断面形状を有し、長さ１７ｃｍの筒状部材を形成し、板の対向する端部にはぜ折り加工を施して固定した。このようにして内壁が光反射面となっている筒状部材を３つ作製した。１つの筒状部材には両端部に、２つの筒状部材には片端部に幅５ｃｍのフランジ部を設けた。３つの筒状部材はフランジ部が接するようにして連結し、フランジ部を４箇所ボルト・ナットにより固定した。
【００５４】
このようにして、３つの筒状部材が連結された、一辺が１３．３ｃｍの正方形の断面形状を有し、長さが５１ｃｍの光伝送装置を作製した。筒状部材の断面積は、実施例２の筒状部材の断面積と同じにした。
【００５５】
（比較例１）
板厚０．２ｍｍの電気亜鉛めっき鋼板（片面の亜鉛めっき量：１０ｇ／ｍ2、両面めっき）を用いて、その表面にクロメート処理を行い、２５ｍｇ／ｍ2のＣｒを被着し、片面のＣｒ被膜上にアクリル樹脂を厚み１０μｍで被覆し、次いでアクリル樹脂上に銀めっき（銀鏡反応）を厚み１００ｎｍで被覆し、さらに銀めっき上にアクリル樹脂を１μｍで被覆した。これにより、高い正反射率の光反射面を有する金属を主材料とする板（反射率：９５％）を得た。この板を巻いて、内径１５ｃｍφ、長さ５１ｃｍの断面形状が円形の筒状部材を形成し、板の対向する縁部にはぜ折り加工を施して固定した。
【００５６】
(比較例２）
高い反射率を有する市販材（光反射率：９６％、原板：板厚０．２ｍｍのＡｌ板、高反射膜の構成：Ａｌ板側からＡｇ蒸着  ｎｍ／Ａｌ2Ｏ3膜  厚み１２０ｎｍ／ＴｉＯ2膜  厚み２００ｎｍ）。この板を巻いて、内径１５ｃｍφ、長さ５１ｃｍの断面形状が円形の筒状部材を形成し、板の対向する縁部にはぜ折り加工を施したが、はぜ折り加工部の一部が破断した。このようにはぜ折り加工部が破断したため、比較例２は特性を評価しなかった。
【００５７】
このようにして、内壁が光反射面となっている内径１５ｃｍφ、長さ５１ｃｍの筒状部材１つで構成された光伝送装置を作製した。
【００５８】
（特性評価）
実施例１〜３及び比較例１で作成した光伝送装置について、図６（ａ）に示す方法で光伝送性能を評価した。
【００５９】
（光伝送性能）
光伝送性能の評価は、図６（ａ）に示すように、人工太陽照射灯２０を用いて各光伝送装置１８の一方の端面に入射角６０°で光を入射し、他方の端面で照度計１９を用いて照度を測定することにより行った。照度は、図６（ｂ）に示すように、中央部１箇所と周辺部４箇所の計５箇所で測定した。評価結果を表１に示す。表１では、照度に関し、５箇所の測定値を合計した値を示した。
【００６０】
【表１】
0005406823.tif 000002
【００６１】
表１に示すように、実施例１〜３の照度は、比較例１の照度とほぼ同じであった。すなわち、実施例１〜３の光伝送装置は、筒状部材を３つ連結して作製したにもかかわらず、連結部がない１つの筒状部材を用いた比較例１と同程度の光伝送レベルであった。また、断面形状の影響については、実施例１と実施例３との比較により、照度がほとんど同じであった。したがって、光伝送性能に差は見られなかった。
【００６２】
（第３の実施形態）
次に、本発明の第３の実施形態に係る光伝送装置の構成について説明する。
【００６３】
この実施形態に係る光伝送装置では、第１及び第２の実施形態と異なる点は、採光部に傾斜角度又は傾斜方向の異なる複数の採光面を設けていることである。他の構成は、図１と同じである。
【００６４】
（第１例）
図７（ａ）、（ｂ）は、本発明の第３の実施形態の第１例の採光部について示す図である。（ａ）は斜視図であり、（ｂ）は（ａ）のIII-III線に沿う断面図である。
【００６５】
第１例の採光部２１は、２つの採光面２１ａ、２１ｂを有し、それらはともに南を向いているが、傾斜角度が異なっている。季節により使い分けることができるようになっている。例えば、太陽の高い春から夏にかけては、傾斜角度の小さい採光面２１ａからの採光が主となり、太陽の低い秋から冬にかけては傾斜角度の大きい採光面２１ｂからの採光が主となるようになっている。図中、符合２２は光伝送装置を構成する筒状部材である。
【００６６】
これにより、季節によらず光を効率よく採光することができ、一年を通じて、照明光の光量が大きく変動しない光伝送装置を提供することができる。
【００６７】
（第２例）
図８（ａ）、（ｂ）は、本発明の第３の実施形態の第２例の採光部について示す図である。（ａ）は斜視図であり、（ｂ）は（ａ）のIV-IV線に沿う断面図である。
【００６８】
第２例の採光部２３は、３つの採光面２３ａ、２３ｂ、２３ｃを有し、図面上左側の採光面２３ａは東南に向いており、中央の採光面２３ｂは南に向いており、右側の採光面２３ｃは西南を向いている。東から西に移動する一日の太陽の動きにしたがって使い分けることができるようになっている。例えば、太陽が東の方にある朝には、東南に向いた採光面２３ａからの採光が主となり、太陽が中天或いは中天近くにある昼前後は南に向いた採光面２３ｂからの採光が主となり、太陽が西の方にある夕方には、西南に向いた採光面２３ｃからの採光が主となるようになっている。図中、符合２４は光伝送装置を構成する筒状部材である。
【００６９】
これにより、一日の太陽の動きによらず光を効率よく採光することができ、一日を通じて照明光の光量が大きく変動しない光伝送装置を提供することができる。
【００７０】
以上、実施の形態によりこの発明を詳細に説明したが、この発明の範囲は上記実施の形態に具体的に示した例に限られるものではなく、この発明の要旨を逸脱しない範囲の上記実施の形態の変更はこの発明の範囲に含まれる。
【産業上の利用可能性】
【００７１】
本発明の光伝送装置は、筒状部材の連結部の外周部に高反射率を有する帯状部材を巻き付けて固定することにより光を効率よく導くことができる。また、筒状部材をフランジ部で連結することにより光を効率よく導くことができる。さらに、採光部で傾斜角度又は傾斜方向の異なる複数の採光面を設けることにより、光を効率よく採光し、且つ光を効率よく導くことができる。【００７２】
従って、外部からの太陽光を建築物の室内に光を導き、室内を照明する用途に最適である。
【図１】
0005406823.tif 000003
【図２】
0005406823.tif 000004
【図３】
0005406823.tif 000005
【図４】
0005406823.tif 000006
【図５】
0005406823.tif 000007
【図６】
0005406823.tif 000008
【図７】
0005406823.tif 000009
【図８】
0005406823.tif 000010